(57)【要約】【課題】  本発明は日常使用されるティーバッグを２度出し、３度だしする際に使用するティーバッグスタンドを提供する。【解決手段】  ティーバッグスタンド１本体にティーバッグ吊るし棒４を設け、ティーバッグ吊るし棒４を脱着可能とするティーバッグ吊るし棒脱着穴３を設け、長さ調整フック５によって吊るし紐１１の吊るし長さを調整し、持ち紙１２を持ち紙引っ掛け穴６に固定することにより使用済みのティーバッグ１０を宙吊りにすることを特徴とするティーバッグスタンドである。【選択図】図１
2011167489.tif 000002
【特許請求の範囲】
【請求項１】
ティーバッグスタンド１本体にティーバッグ吊るし棒４を設け、ティーバッグ吊るし棒４を脱着可能とするティーバッグ吊るし棒脱着穴３を設け、長さ調整フック５によって吊るし紐１１の吊るし長さを調整し、持ち紙１２を持ち紙引っ掛け穴６に固定することにより使用済みのティーバッグ１０を宙吊りにすることを特徴とするティーバッグスタンド。
【発明の詳細な説明】
【技術分野】
【０００１】  本発明は日常使用されるティーバッグを２度出し、３度だしする際に使用するティーバッグスタンドに関するものである。
【背景技術】
【０００２】  従来、ティーバッグを利用したお茶は一度使用された場合、そのまま廃棄されるか受け皿の上に乗せて保管し、２度出し、３度出しに再利用される。
各種ティーバッグの２度出し、３度出しを行い、色素成分と旨味を残し、美味しく飲むためには、水分を含んだティーバッグ部分を宙吊り状態で保存する必要がある。
【先行技術文献】
【０００３】
【特許文献１】  特開２００８−９３３７２号公報
【発明が解決しようとする課題】
【０００４】  しかしながら、次の様な問題があった。
従来のティーバッグは、一度使用されると使い捨てられるか、または、２度出し３度出しに使用される場合がある。
この場合、使用済みのティーバッグは直接受け皿の上に置かれ色素成分と旨味成分が流出し、さらにそのティーバッグは直接受け皿に置かれ水分が残留し、不潔感がある。
また、その受け皿は毎回洗う必要があり、煩わしかった。
他の道具を使ってティーバッグを吊り下げる場合には、ティーバッグの吊り紐の長さや容器の大きさに合わせて程よい高さに吊るすのが簡単ではなく煩わしかった。
本発明は以上の問題を解決しようとするものである。
【課題を解決するための手段】
【０００５】  上記課題を解決することを目的として、ティーバッグスタンド１本体にティーバッグ吊るし棒４を設け、ティーバッグ吊るし棒４を脱着可能とするティーバッグ吊るし棒脱着穴３を設け、長さ調整フック５によって吊るし紐１１の吊るし長さを調整し、持ち紙１２を持ち紙引っ掛け穴６に固定することにより使用済みのティーバッグ１０を宙吊りにする。
本発明は、以上の構成からなるティーバッグスタンドである。
【発明の効果】
【０００６】（イ）本発明により使用済みのティーバッグを宙吊りにして湯切りすることにより色素成    分と旨味成分を残し、初回に近い味で美味しく、２度出し、３度出しを味わうことが    できる。
（ロ）皿に滴り落ちた色素成分、旨味成分を含んだ水滴によりカップの受け皿が汚れるこ    とがなくなり、ティーバッグスタンドは通常の皿やカップと同様に手洗いや食器洗浄    機で洗うことが出来る。
【図面の簡単な説明】
【０００７】
【図１】  本発明の請求項１のティーバッグスタンド１の符号の説明図である。
【図２】  本発明の請求項１のティーバッグスタンド１単体の状態の斜視図である。
【図３】  本発明の請求項１のティーバッグスタンド１に脱着可能なティーバッグ吊るし棒４の斜視図である。
【図４】  本発明の請求項１のティーバッグスタンド１よりティーバッグ吊るし棒４を取り外した状態のティーバッグスタンド１の斜視図である。
【図５】  本発明の請求項１のティーバッグスタンド１のティーバッグ吊るし棒４を脱着可能にするためのティーバッグ吊るし棒脱着穴３の斜視図である。
【図６】  本発明の請求項１のティーバッグスタンド１のティーバッグ吊るし棒脱着穴３にティーバッグ吊るし棒４を装着した場合の斜視図である。
【図７】  本発明の請求項１のティーバッグスタンド１とティーバッグ１０の斜視図である。
【図８】  本発明の請求庫１のティーバッグスタンド１のティーバッグ吊るし棒４の長さ調整フック５に吊るし紐１１を巻きつけ長さ調整を行う方法の斜視図である。
【図９】  本発明の請求項１のティーバッグスタンド１の長さ調整フック５に吊るし紐１１を巻きつけ長さ調整を行った後、持ち紙１２を持ち紙引っ掛け穴６に固定した状態の斜視図である。
【図１０】  本発明の請求項１のティーバッグスタンド１にティーバッグ１０を収納した状態の斜視図である。
【図１１】  本発明の請求項１のティーバッグスタンド１とスライスレモン９の斜視図である。
【図１２】  本発明の請求項１のティーバッグスタンド１にスライスレモン９をスライスレモン、ティーバッグ袋ホルダー２に収納した状態の斜視図である。
【図１３】  本発明の請求項１のティーバッグスタンド１とティーバッグ袋８の斜視図である。
【図１４】  本発明の請求項１のティーバッグスタンド１にティーバッグ袋８をスライスレモン、ティーバッグ袋ホルダー２に収納した状態の斜視図である。
【図１５】  本発明の請求項１のティーバッグスタンド１にティーバッグ袋８とスライスレモン９を収納する状態の斜視図である。
【図１６】  本発明の請求項１のティーバッグスタンド１にティーバッグ袋８とスライスレモン９とティーバッグ１０を収納した状態の斜視図である。
【図１７】  本発明の請求項１のティーバッグスタンド１にティーバッグ袋８とスライスレモン９とティーバッグ１０を収納した状態の後方からの斜視図である。
【発明を実施するための形態】
【０００８】  以下、本発明の実施の形態について説明する。
【０００９】  図２は、本発明の請求項１のティーバッグスタンド１の斜視図である。
ティーバッグスタンド１の構造は、ティーバッグスタンド１を持つための取手７を設け、ティーバッグ１０を吊るすことを目的とするティーバッグ吊るし棒４を設け、持ち紙１２を長さ調整フック５により調整された吊るし紐１１をティーバッグスタンド１に引っ掛けるための持ち紙引っ掛け穴６を設ける。
図３に示す通り、ティーバッグ吊るし棒４の構造はティーバッグ１０の種類によって異なる吊るし紐１１の長さを調整し丁度良い長さでティーバッグ１０を宙吊りにすることを目的として長さ調整フック５を設ける。
図５に示す通り、ティーバッグ吊るし棒４をティーバッグスタンド１に脱着可能とするため、ティーバッグ吊るし棒脱着穴３を設け、図６に示す通りティーバッグ吊るし棒４を固定する。
図１５、図１６、図１７に示す通り、ティーバッグ袋８及びスライスレモン９の収納部分となるスライスレモン、ティーバッグ袋ホルダー２をティーバッグスタンド１の左右側面部に設ける。
【符号の説明】
【００１０】１  ティーバッグスタンド
２  スライスレモン、ティーバッグ袋ホルダー
３  ティーバッグ吊るし棒脱着穴
４  ティーバッグ吊るし棒
５  長さ調整フック
６  持ち紙引っ掛け穴
７  取手
８  ティーバッグ袋
９  スライスレモン
１０  ティーバッグ
１１  吊るし紐
１２  持ち紙
【図１】
2011167489.tif 000003
【図２】
2011167489.tif 000004
【図３】
2011167489.tif 000005
【図４】
2011167489.tif 000006
【図５】
2011167489.tif 000007
【図６】
2011167489.tif 000008
【図７】
2011167489.tif 000009
【図８】
2011167489.tif 000010
【図９】
2011167489.tif 000011
【図１０】
2011167489.tif 000012
【図１１】
2011167489.tif 000013
【図１２】
2011167489.tif 000014
【図１３】
2011167489.tif 000015
【図１４】
2011167489.tif 000016
【図１５】
2011167489.tif 000017
【図１６】
2011167489.tif 000018
【図１７】
2011167489.tif 000019